(57)【要約】【課題】移動通信端末に内蔵したテレビジョン放送受信回路において、受信感度を低下させることなく、フィルタの次数を低くでき、小型化と低価格化を実現すること。【解決手段】テレビジョン放送受信回路３０は、ローノイズアンプ１２と可変増幅回路１５との間にバンド幅可変フィルタ３１を設け、バンド幅可変フィルタ３１のフィルタ特性をチャンネル選択信号に同期して切り替えるＢＷ制御回路３２を備える。携帯電話送信波の周波数と放送受信周波数とがスプリアスレスポンスを発生する組み合わせの場合、制御回路３２からトランジスタＳＷ１に印加するＢＷ切替信号をアクティブとして減衰量の大きい第１減衰モードを設定する。また、携帯電話送信波の周波数と放送受信周波数とがスプリアスレスポンスを発生しない組み合わせの場合、制御回路３２からトランジスタＳＷ１に印加するＢＷ切替信号をノンアクティブとして減衰量の小さい第２減衰モードを設定する。【選択図】図１
2010130328.tif 000002
【特許請求の範囲】
【請求項１】
移動通信のための移動通信無線部を有する移動通信端末に搭載され、前記移動通信無線部の使用帯域とは異なる帯域のテレビジョン放送の放送波を受信するテレビジョン放送受信回路において、
放送波に局部発振信号を混合してベースバンド周波数を含む所定周波数に変換する周波数変換回路と、前記周波数変換回路の前段に設けられ前記放送波を通過帯域に持つと共に前記移動通信用無線部の帯域に減衰域を持つフィルタとを備え、
前記移動通信無線部の送信周波数のＭ倍（Ｍは自然数）の周波数と前記局部発振信号のＮ倍（Ｎは自然数）の周波数との差で生成される信号が、前記周波数変換回路で変換される放送波の前記所定周波数に影響を与えるチャンネルを受信する場合、前記フィルタの通過帯域及び減衰域のうち移動通信用無線部の使用帯域に近い方の通過帯域及び減衰域の減衰量を、それ以外のチャンネルを受信する場合よりも大きくしたことを特徴とするテレビジョン放送受信回路。
【請求項２】
前記フィルタは、受信チャンネルに応じて与えられる切替信号に基づいてカットオフ周波数を切り替えて、通過帯域及び減衰域の減衰量を変化させることを特徴とする請求項１記載のテレビジョン放送受信回路。
【請求項３】
移動通信用無線部の使用帯域がテレビジョン放送信号帯域よりも高く、前記フィルタがローパスフィルタで構成されたことを特徴とする請求項１又は請求項２記載のテレビジョン放送受信回路。
【請求項４】
移動通信用無線部の使用帯域がテレビジョン放送信号帯域よりも低く、前記フィルタがハイパスフィルタで構成されたことを特徴とする請求項１又は請求項２記載のテレビジョン放送受信回路。
【請求項５】
前記ＭがＭ＝２、前記ＮがＮ＝３であることを特徴とする請求項２記載のテレビジョン放送受信回路。
【請求項６】
前記移動通信が携帯電話通信であり、前記テレビジョン放送が地上デジタルテレビジョン放送であることを特徴とする請求項１から請求項５のいずれかに記載のテレビジョン放送受信回路。
【発明の詳細な説明】
【技術分野】
【０００１】
本発明は、移動通信端末に内蔵されるテレビジョン放送受信回路に関する。
【背景技術】
【０００２】
携帯電話機の多機能化に伴い、携帯電話機に放送受信機が搭載されるようになって来た。放送受信機を搭載した携帯電話機では、携帯電話機の送信波による放送受信機への妨害を排除するために、放送受信機のフロントエンド部に携帯電話送信波を阻止するフィルタを設置している（例えば、特許文献１参照）。
【０００３】
図９（ａ）は放送受信機を搭載した携帯電話機の概略図であり、同図（ｂ）は放送受信機におけるテレビジョン放送受信回路の構成図である。携帯電話機１の筺体内に携帯電話送信波を発生する携帯送信機部２とテレビジョン放送信号を受信するテレビジョン放送受信回路３とが設置されている。携帯送信機部２は、テレビジョン放送帯域の低域側又は高域側に近接する携帯電話送信波の周波数帯を使って通信を行う。
【０００４】
テレビジョン放送受信回路３は、アンテナから出力されるＲＦ信号をＢＰＦで構成されるフィルタ１１に通して放送帯域の信号を取り出し、ローノイズアンプ１２に入力して増幅してから携帯電話送信波の周波数帯をカットするフィルタ１３に入力する。フィルタ１３は、携帯電話送信波の周波数が放送帯域の低域側に位置する場合はＨＰＦで構成され、放送帯域の高域側に位置する場合はＬＰＦで構成される。フィルタ１３で携帯電話送信波の周波数帯がカットされた放送帯域の信号をチューナ部／制御部１４に入力する。可変増幅回路１５は希望波（受信チャンネル）のレベルを調節して受信信号を適正レベルに調節する。ミキサ１６は、可変増幅回路１５で調整された信号に局部発振器１７から与えられる局部発振信号を乗算してＩＦ信号に周波数変換する。ミキサ１６から出力されるＩＦ信号をＩＦ増幅器１８で増幅してから復調器１９で復調し、さらに復号回路２０で映像信号と音声信号に復号する。一方、復調器出力を分岐してＡＧＣ制御回路２１に入力する。ＡＧＣ制御回路２１は、復調信号レベルを一定にするゲインコントロール信号を生成し、可変増幅回路１５及びＩＦ増幅器１８に供給する。
【０００５】
携帯送信機部２の携帯電話送信波が直接に放送受信機３のＬＮＡ１２、チューナ部／制御部１４に与える妨害としてゲイン抑圧がある。フィルタ（ＢＰＦ）１１をＬＮＡ１２の前段に設置することで、強力な携帯電話送信電力によるＬＮＡ１２のゲイン抑圧を防止している。
【０００６】
また、携帯送信機部２の携帯電話送信波が放送受信機部３に与える妨害としてスプリアスレスポンスがある。ミキサ１６は、受信波と局部発振信号とからＩＦ信号を生成する回路であるが、それ以外に到来電波の整数倍（ｍ）と局部発振信号周波数の整数倍（ｎ）との差から、ＩＦ信号を生成する。図１０に示すように、希望放送波ｆｒを受信中に、上記特定周波数条件に合致する到来妨害波ｆｕがミキサ１６に入力すると、妨害波ｆｕが希望放送波ｆｒと同一のＩＦに変換されて、妨害波を含むＩＦ信号が生成される。また、受信波と局部発振信号とから直接ベースバンド周波数に変換する直接変換方式の場合は、妨害波ｆｕが希望放送波ｆｒと同一のベースバンド周波数に変換されて、妨害波を含むベースバンド信号が生成される。スプリアスレスポンスを防止するために、携帯電話送信波を減衰させる必要がある。そこで、図１１（ａ）（ｂ）に示すように、放送帯域と携帯送信帯域との境界で急峻な傾き特性を有するフィルタ（ＬＰＦ，ＨＰＦ）１３を設置して携帯電話送信波（到来妨害波ｆｕ）を減衰させている。
【特許文献１】特開２００６−１９７４５０号公報
【発明の開示】
【発明が解決しようとする課題】
【０００７】
しかしながら、フィルタ１３によって携帯電話送信波（妨害波ｆｕ）を十分に減衰させるためには、減衰極を放送受信波帯に接近させる必要があり、放送受信波帯の信号の減衰量が増大して、放送波の受信感度が低下するといった問題があった。また、携帯電話送信波を阻止するために、フィルタの次数を高くして急峻な傾きのフィルタ特性を実現しようとすれば、放送波受信部の回路が複雑となり、大型化する問題がある。
【０００８】
本発明は、かかる点に鑑みてなされたものであり、受信感度を低下させることなく、フィルタの次数を低くでき、小型化と低価格化に貢献できるテレビジョン放送受信回路を提供することを目的とする。
【課題を解決するための手段】
【０００９】
本発明のテレビジョン放送受信回路は、移動通信のための移動通信無線部を有する移動通信端末に搭載され、前記移動通信無線部の使用帯域とは異なる帯域のテレビジョン放送の放送波を受信するテレビジョン放送受信回路において、放送波に局部発振信号を混合してベースバンド周波数を含む所定周波数に変換する周波数変換回路と、前記周波数変換回路の前段に設けられ前記放送波を通過帯域に持つと共に前記移動通信用無線部の帯域に減衰域を持つフィルタとを備え、前記移動通信無線部の送信周波数のＭ倍（Ｍは自然数）の周波数と前記局部発振信号のＮ倍（Ｎは自然数）の周波数との差で生成される信号が、前記周波数変換回路で変換される放送波の前記所定周波数に影響を与えるチャンネルを受信する場合、前記フィルタの通過帯域及び減衰域のうち移動通信用無線部の使用帯域に近い方の通過帯域及び減衰域の減衰量を、それ以外のチャンネルを受信する場合よりも大きくしたことを特徴とする。
【００１０】
この構成によれば、スプリアスレスポンスが発生するチャンネルを受信する場合は、移動通信用無線部の使用帯域の減衰量を大きくして妨害波を抑え込み、それ以外のチャンネルを受信する場合は移動通信用無線部の使用帯域に近い方の通過帯域及び減衰域の減衰量を小さくすることで放送波の減衰を小さくし受信感度の劣化を防止する。
【００１１】
また本発明は、上記テレビジョン放送受信回路において、前記フィルタは、受信チャンネルに応じて与えられる切替信号に基づいてカットオフ周波数を切り替えて、通過帯域及び減衰域の減衰量を変化させることを特徴とする。
【００１２】
上記テレビジョン放送受信回路において、移動通信用無線部の使用帯域がテレビジョン放送信号帯域よりも高い場合は、前記フィルタをローパスフィルタで構成することができる。
【００１３】
上記テレビジョン放送受信回路において、移動通信用無線部の使用帯域がテレビジョン放送信号帯域よりも低い場合は、前記フィルタをハイパスフィルタで構成することができる。
【００１４】
本発明は前記ＭがＭ＝２、前記ＮがＮ＝３のように低次の場合に特に効果的である。また、前記移動通信が携帯電話通信であり、前記テレビジョン放送が地上デジタルテレビジョン放送である場合に好適に適用できる。
【発明の効果】
【００１５】
本発明によれば、携帯電話送信波を減衰させて放送波を受信するテレビジョン放送受信回路において、受信感度を低下させることなく、フィルタの次数を低くでき、小型化と低価格化を実現することができる。
【発明を実施するための最良の形態】
【００１６】
以下、本発明の実施の形態について添付図面を参照して詳細に説明する。
本実施の形態のテレビジョン放送受信回路は、携帯送信機を備えた移動通信端末に内蔵されている。
【００１７】
図１は本実施の形態に係るテレビジョン放送受信回路の構成図である。なお、図９（ｂ）と同一部分には同一符号を付して説明の重複を避ける。テレビジョン放送受信回路３０は、ローノイズアンプ１２と可変増幅回路１５との間にバンド幅可変フィルタ３１が設けられている。また、チューナ部／制御回路１４にバンド幅可変フィルタ３１のフィルタ特性をチャンネル選択信号に同期して切り替えるＢＷ制御回路３２が設けられている。ＢＷ制御回路３２は、ＢＷ切替信号をバンド幅可変フィルタ３１に与えてフィルタ特性を切り替える。なお、バンド幅可変フィルタ３１は、フィルタ１１とローノイズアンプ１２との間に接続しても良い。
【００１８】
本実施の形態では、携帯電話送信波の周波数と放送受信周波数（受信チャンネル）とがスプリアスレスポンスを発生する組み合わせの場合、携帯電話送信波の減衰量を大きくするフィルタ特性が設定され（「第１減衰モード」と称する）、それ以外の組み合わせでは放送受信信号の減衰が小さいフィルタ特性に切り替えられる（「第２減衰モード」と称する）。携帯電話送信波の周波数は、端末で採用している通信システム（標準化された通信方式）で固定的に決まり、放送受信周波数は受信チャンネルに応じて動的に変化する。端末の通信システムが固定の場合、第１減衰モードとすべき受信チャンネルは予め決めることができる。ＢＷ制御回路３２は、受信チャンネルに応じてＢＷ切替信号の状態（アクティブ／ノンアクティブ）を制御している。
【００１９】
携帯電話送信波と放送受信波とが接近している場合、低次数のスプリアスレスポンスを発生させる放送周波数は放送帯域の全体には存在せず、低域もしくは高域の周波数範囲に限定される。これは、携帯電話機に内蔵された放送受信機のベースバンド周波数を含む所定周波数が比較的に低い(500KHz前後)という事情に起因している。
【００２０】
放送波が携帯送信波より下側にある場合は、低次数のスプリアスレスポンスを発生させる放送波の周波数は、放送波の低域に限定される。一方、放送波が携帯送信波より上側にある場合は、低次数のスプリアスレスポンスを発生させる放送波の周波数は、放送波の高域に限定される。
【００２１】
放送波が携帯送信波より下側にある日本において、携帯電話送信波Fuを815〜925MHz、放送受信波Frを470〜770MHzとした場合、ベースバンド周波数又はＩＦ周波数を500KHzとして、Fu×2とFlocal=(Fr+IF)×3の組合せを考えると、Fu×2＝1630〜1850MHz、Flocal=(Fr+IF)×3＝1411.5〜2311.5MHzとなる。上記2つの周波数の重複範囲から、この組合せのスプリアスレスポンスを発生する放送受信波の上限は、1850/3−0.5=616.17MHzである。従って、スプリアスレスポンスを発生する放送受信波は下側半分のみに存在する。よって、スプリアスレスポンスを発生する放送受信波（下側半分の特定チャンネル）の場合だけ、第１減衰モードを選択すれば、その他の受信チャンネルで受信感度の劣化を防止できる。
【００２２】
放送波が携帯送信波より上側にある場合においても、携帯送信波より下側にある場合と同様な計算方法で、Fu×3とFlocal×2の低次数のスプリアスレスポンスを発生させる放送受信波は高域に集中する。よって、スプリアスレスポンスを発生する放送受信波（高域の特定チャンネル）の場合だけ、第１減衰モードを選択すれば、その他の受信チャンネルで受信感度の劣化を防止できる。
【００２３】
さらに高次のスプリアスレスポンスを発生させる２波の組合せ、例えば、Fu×3とFlocal×4も存在し、スプリアスレスポンスを発生させる放送受信波は帯域の半分に留まらない。しかし、スプリアスレスポンスによる受信妨害は、両波の次数が高くなると急激に減少するので、フィルタに必要とされる性能要求が高くなく、フィルタの帯域を切替える必要が無い。
図８には、日本国内において採用されている移動体通信システムとＵＨＦチャンネルとの組み合わせであって、スプリアスレスポンスが発生する又はスプリアスレスポンスが発生する可能性のある組み合わせを例示している。同図に示すように、１つの移動体通信システムについて放送受信波の下側半分の特定チャンネルにスプリアスレスポンスが発生する。したがって、スプリアスレスポンスが発生する受信チャンネルを選択した場合にだけ第１減衰モードを設定し、その他のチャンネル受信時には第２減衰モードに戻すこととする。
【００２４】
図２は第１減衰モードと第２減衰モードのフィルタ特性を示す図であって、携帯送信帯域の低域側に放送受信帯域が存在する場合の特性図である。この場合、バンド幅可変フィルタ３１は、ＬＰＦ型フィルタで構成することができる。フィルタ１１は、放送受信帯域を通過帯域とするＢＰＦで構成される。
【００２５】
第２減衰モードでは、図２に実線で示すように、カットオフ周波数を放送受信帯域から遠ざけて、放送受信信号の減衰量を抑制している。
【００２６】
第１減衰モードでは、図２に点線で示すように、カットオフ周波数を携帯送信帯域から遠ざけて、携帯送信信号の減衰量を大きくしている。
【００２７】
図３は第１減衰モードと第２減衰モードのフィルタ特性を示す図であって、携帯送信帯域の高域側に放送受信帯域が存在する場合の特性図である。この場合、バンド幅可変フィルタ３１は、ＨＰＦ型フィルタで構成することができる。フィルタ１１は、放送受信帯域を通過帯域とするＢＰＦで構成される。
【００２８】
第２減衰モードでは、図３に実線で示すように、カットオフ周波数を放送受信帯域から遠ざけて、放送受信信号の減衰量を抑制している。
【００２９】
第１減衰モードでは、図３に点線で示すように、カットオフ周波数を携帯送信帯域から遠ざけて、携帯送信信号の減衰量を大きくしている。
【００３０】
このように、携帯電話送信波の周波数と放送受信周波数（受信チャンネル）とがスプリアスレスポンスを発生する組み合わせの場合に、第１減衰モードに切り替えて携帯送信信号の減衰量を大きくすることで携帯妨害波を抑制する。また、スプリアスレスポンスが発生しない又は実質的に問題とならない組み合わせの場合に、第２減衰モードに切り替えて放送受信信号の減衰量を抑制し受信感度の劣化を防止している。
【００３１】
次に、ＬＰＦで構成されるバンド幅可変フィルタ３１の回路構成について説明する。
図４（ａ）は３次Ｔ型ＬＰＦで構成したバンド幅可変フィルタ３１の等価回路図である。入力端と出力端との間にインダクタＬ１、Ｌ３が直列に接続され、インダクタＬ１、Ｌ３の接続点とグラウンドとの間にインダクタＬ２とコンデンサＣ１とからなる直列共振回路が接続されている。コンデンサＣ１に対してコンデンサＣ２が並列に接続されている。コンデンサＣ２は、グラウンド側の端子がトランジスタＳＷ１のコレクタ−エミッタ間を直列に介してグラウンドに接続されている。トランジスタＳＷ１のベースにはバイアス抵抗Ｒ１を介してＢＷ制御回路３２からＢＷ切替信号が印加される。トランジスタＳＷ１がＯＮの場合は、コンデンサＣ２が並列に接続されるが、トランジスタＳＷ１がＯＦＦの場合は、コンデンサＣ２のグラウンド側の端子がオープン状態となる。したがって、トランジスタＳＷ１のＯＮ／ＯＦＦで共振回路の付加容量が変化して共振周波数が変化する。
【００３２】
図４（ｂ）は５次Ｔ型ＬＰＦで構成したバンド幅可変フィルタ３１の等価回路図である。入力端と出力端との間にインダクタＬ１、Ｌ３、Ｌ５が直列に接続され、インダクタＬ１、Ｌ３の接続点とグラウンドとの間にインダクタＬ２とコンデンサＣ１とからなる第２共振回路が接続され、インダクタＬ３、Ｌ５の接続点とグラウンドとの間にインダクタＬ４とコンデンサＣ４とからなる第１共振回路が接続されている。コンデンサＣ４に対してコンデンサＣ３が並列に接続されており、トランジスタＳＷ１のＯＮ／ＯＦＦでコンデンサＣ３を接続し又は切り離せるようにしている。
【００３３】
図５（ａ）（ｂ）は図４（ａ）に示す３次Ｔ型ＬＰＦで構成したバンド幅可変フィルタ３１のフィルタ特性を示す図である。インダクタＬ１及びコンデンサＣ１からなる共振回路の容量を2.7ｐＦとし、トランジスタＳＷ１をＯＮした場合にコンデンサＣ２及びトランジスタＳＷ１の等価容量の和が1.2ｐＦとなるようにした。
【００３４】
図５（ａ）はトランジスタＳＷ１をＯＦＦにして共振回路の容量を2.7ｐＦとした場合のフィルタ特性を示す図である。1.0ＧＨｚ近傍に減衰極が存在する。図５（ｂ）はトランジスタＳＷ１をＯＮにして共振回路の合成容量を（2.7ｐＦ＋1.2ｐＦ）とした場合のフィルタ特性を示す図である。付加容量を追加したことにより、減衰極及び通過帯域が低い周波数へ移動している。
【００３５】
図６（ａ）（ｂ）は図４（ｂ）に示す５次Ｔ型ＬＰＦで構成したバンド幅可変フィルタ３１のフィルタ特性を示す図である。インダクタL４＋コンデンサＣ４及びＣ３からなる第１共振回路の減衰極がＭ１、インダクタL２＋コンデンサC１からなる第２共振回路の減衰極がＭ２である。Ｃ４の容量を3.0ｐＦとし、トランジスタＳＷ１をＯＮした場合にコンデンサＣ３及びトランジスタＳＷ１の等価容量の和が0.9ｐＦとなるようにした。
【００３６】
図６（ａ）はトランジスタＳＷ１をＯＦＦにして第１共振回路の容量を3.0ｐＦとした場合のフィルタ特性を示す図である。0.9ＧＨｚ近傍に第1共振回路の減衰極Ｍ１が存在している。図６（ｂ）はトランジスタＳＷ１をＯＮにして第１共振回路の合成容量を（3.0ｐＦ＋0.9ｐＦ）とした場合のフィルタ特性を示す図である。付加容量を追加したことにより、第１共振回路の減衰極Ｍ１及び通過帯域が低い周波数へ移動している。なお、第２共振回路の減衰極Ｍ２は容量が変化しても移動していない。
【００３７】
図７（ａ）は３次Ｔ型ＨＰＦで構成したバンド幅可変フィルタ３１の等価回路図である。入力端と出力端との間にコンデンサＣ５、Ｃ７が直列に接続され、コンデンサＣ５とコンデンサＣ７との接続点とグラウンドとの間にインダクタＬ６とコンデンサＣ６とからなる共振回路が接続されている。コンデンサＣ６に対してコンデンサＣ８が並列に接続されており、トランジスタＳＷ１のコレクタ−エミッタ間を介してグラウンドに接続されている。トランジスタＳＷ１のベースにはＢＷ切替信号が印加される。
【００３８】
図７（ｂ）は５次Ｔ型ＨＰＦで構成したバンド幅可変フィルタ３１の等価回路図である。入力端と出力端との間にコンデンサＣ５、Ｃ７、Ｃ９が直列に接続され、コンデンサＣ７とコンデンサＣ９との接続点とグラウンドとの間にインダクタＬ７とコンデンサＣ１０とからなる共振回路が接続されている。コンデンサＣ１０に対してコンデンサＣ１１が並列に接続されており、トランジスタＳＷ１のコレクタ−エミッタ間を介してグラウンドに接続されている。トランジスタＳＷ１のベースにはＢＷ切替信号が印加される。
【００３９】
以上のように構成されたＨＰＦによってもトランジスタＳＷ１のベースに印加するＢＷ切替信号によってフィルタ特性を、第１減衰モードと第２減衰モードに切り替えることができる。
【００４０】
このように、本実施の形態によれば、携帯電話送信波の周波数と放送受信周波数とがスプリアスレスポンスを発生する組み合わせの場合は、制御回路３２からトランジスタＳＷ１に印加するＢＷ切替信号をアクティブとして第１減衰モードを設定する。また、携帯電話送信波の周波数と放送受信周波数とがスプリアスレスポンスを発生しない組み合わせの場合は、制御回路３２からトランジスタＳＷ１に印加するＢＷ切替信号をノンアクティブとして第２減衰モードを設定する。これにより、甚大なスプリアスレスポンス妨害を発生させる携帯電話送信波と放送受信波の組合せで動作する場合に、フィルタの極及び通過帯を移動できるので、受信感度を低下させることなく、フィルタの次数を低くでき、小型化と低価格化に貢献することができる。
【００４１】
なお、以上の説明では、ミキサ１６にて受信波と局部発振信号とからＩＦ信号を生成しているが、ＩＦではなく直接ベースバンド周波数に変換する直接変換方式にも適用可能である。
【産業上の利用可能性】
【００４２】
本発明は、放送受信機を搭載する携帯電話機に適用可能である。
【図面の簡単な説明】
【００４３】
【図１】本発明の一実施の形態に係るテレビジョン放送受信回路の構成図
【図２】ＬＰＦで構成されたバンド幅可変フィルタの第１減衰モードと第２減衰モードのフィルタ特性を示す図
【図３】ＨＰＦで構成されたバンド幅可変フィルタの第１減衰モードと第２減衰モードのフィルタ特性を示す図
【図４】（ａ）３次Ｔ型ＬＰＦで構成したバンド幅可変フィルタの等価回路図、（ｂ）５次Ｔ型ＬＰＦで構成したバンド幅可変フィルタの等価回路図
【図５】（ａ）３次Ｔ型ＬＰＦで構成したバンド幅可変フィルタの並列容量付加前のフィルタ特性を示す図、（ｂ）同バンド幅可変フィルタの並列容量付加時のフィルタ特性を示す図
【図６】（ａ）５次Ｔ型ＬＰＦで構成したバンド幅可変フィルタの並列容量付加前のフィルタ特性を示す図、（ｂ）同バンド幅可変フィルタの並列容量付加時のフィルタ特性を示す図
【図７】（ａ）３次Ｔ型ＨＰＦで構成したバンド幅可変フィルタの等価回路図、（ｂ）５次Ｔ型ＨＰＦで構成したバンド幅可変フィルタの等価回路図
【図８】スプリアスレスポンスが発生する移動体通信システムとＵＨＦチャンネルとの組み合わせを示す図
【図９】（ａ）放送受信機を搭載した携帯電話機の概略図、（ｂ）放送受信機におけるテレビジョン放送受信回路の構成図
【図１０】スプリアスレスポンスの発生原理を説明するための図
【図１１】（ａ）放送波が携帯送信波よりも下側にある場合のフィルタ特性図、（ｂ）放送波が携帯送信波よりも上側にある場合のフィルタ特性図
【符号の説明】
【００４４】
１…携帯電話機
２…携帯送信機部
１１…フィルタ（ＢＰＦ）
１２…ローノイズアンプ
１３…フィルタ（ＬＰＦ，ＨＰＦ）
１５…可変増幅回路
１６…ミキサ
１７…局部発振器
１８…ＩＦ増幅器
１９…復調器
２０…復号回路
２１…ＡＧＣ制御回路
３０…テレビジョン放送受信回路
３１…バンド幅可変フィルタ
３２…ＢＷ制御回路
【図１】
2010130328.tif 000003
【図２】
2010130328.tif 000004
【図３】
2010130328.tif 000005
【図４】
2010130328.tif 000006
【図５】
2010130328.tif 000007
【図６】
2010130328.tif 000008
【図７】
2010130328.tif 000009
【図８】
2010130328.tif 000010
【図９】
2010130328.tif 000011
【図１０】
2010130328.tif 000012
【図１１】
2010130328.tif 000013